(57)【要約】【課題】番組コンテンツの一覧を漏れなく見ることができ、かつ所望の番組コンテンツの検索を容易にすること。【解決手段】実施形態の録画再生装置は、録画部と、生成部と、収集部と、判断部と、統合部と、表示部とを備える。生成部は、録画された番組コンテンツに関する番組情報の一覧である第１関連情報を生成する。収集部は、ネットワークに接続された一または複数の他の録画再生装置から、他の録画再生装置で録画された番組情報の一覧である第２関連情報を収集する。判断部は、第１関連情報において未登録の番組情報である第２番組情報が、第２関連情報に存在するか否かを判断する。統合部は、第２関連情報に第２番組情報が存在すると判断された場合に、第２関連情報の第２番組情報を、第１関連情報に統合する。表示部は、第２番組情報が統合された第１関連情報を、過去番組表として表示する。【選択図】図２
2015050607.tif 000002
【特許請求の範囲】
【請求項１】
複数のチャンネルの番組を同時に録画して、録画した番組コンテンツを記憶部に保存する録画部と、
録画された番組コンテンツに関する番組情報の一覧である第１関連情報を生成する生成部と、
ネットワークに接続された一または複数の他の録画再生装置から、前記他の録画再生装置で録画された番組情報の一覧である第２関連情報を収集する収集部と、
前記第１関連情報において未登録の番組情報である第２番組情報が、前記第２関連情報に存在するか否かを判断する判断部と、
前記第２関連情報に前記第２番組情報が存在すると判断された場合に、前記第２関連情報の前記第２番組情報を、前記第１関連情報に統合する統合部と、
前記第２番組情報が統合された第１関連情報を、過去番組表として表示する表示部と、
を備えた録画再生装置。
【請求項２】
前記収集部は、一定時間ごとに、前記一または複数の他の録画再生装置から、前記第２関連情報を収集し、
前記判断部は、前記一定時間ごとに、前記第２番組情報が、前記第２関連情報に存在するか否かを判断し、
前記統合部は、前記一定時間ごとに、前記第２関連情報の前記第２番組情報を、前記第１関連情報に統合する、
請求項１に記載の録画再生装置。
【請求項３】
前記収集部は、前記過去番組表の表示時に、前記一または複数の他の録画再生装置から、前記第２関連情報を収集し、
前記判断部は、前記過去番組表の表示時に、前記第２番組情報が、前記第２関連情報に存在するか否かを判断し、
前記統合部は、前記過去番組表の表示時に、前記第２関連情報の前記第２番組情報を、前記第１関連情報に統合する、
請求項１または２に記載の録画再生装置。
【請求項４】
前記収集部は、前記過去番組表のページごとの表示時に、前記一または複数の他の録画再生装置から、前記第２関連情報を収集し、
前記判断部は、前記過去番組表のページごとの表示時に、前記第２番組情報が、前記第２関連情報に存在するか否かを判断し、
前記統合部は、前記過去番組表のページごとの表示時に、前記第２関連情報の前記第２番組情報を、前記第１関連情報に統合する、
請求項１〜３のいずれか一つに記載の録画再生装置。
【請求項５】
前記表示部は、前記過去番組表を表示している場合において、前記第２関連情報の収集から、前記第２関連情報への前記第２番組情報の登録までの間、前記第２関連情報を取得中の旨を表示する、
請求項１〜４のいずれか一つに記載の録画再生装置。
【請求項６】
ユーザから所望の表示条件の入力を受け付ける入力制御部と、
前記統合された第１関連情報の中から、前記表示条件を満たす一または複数の番組の番組情報を検索する検索部と、を備え、
前記表示部は、検索された一または複数の番組情報を表示する、
請求項１〜５のいずれか一つに記載の録画再生装置。
【請求項７】
前記収集部は、複数のチャンネルの番組を同時に録画する特定機能の有無を、前記一または複数の他の録画再生装置に問い合わせ、前記特定機能を有する旨の応答があった前記他の録画再生装置から前記メタデータを収集する、
請求項１〜６のいずれか一つに記載の録画再生装置。
【請求項８】
複数のチャンネルの番組を同時に録画して、録画した番組コンテンツを記憶部に保存し、
録画された番組コンテンツに関する番組情報の一覧である第１関連情報を生成し、
ネットワークに接続された一または複数の他の録画再生装置から、前記他の録画再生装置で録画された番組情報の一覧である第２関連情報を収集し、
前記第１関連情報において未登録の番組情報である第２番組情報が、前記第２関連情報に存在するか否かを判断し、
前記第２関連情報に前記第２番組情報が存在すると判断された場合に、前記第２関連情報の前記第２番組情報を、前記第１関連情報に統合し、
前記第２番組情報が統合された第１関連情報を、過去番組表として表示する、
ことを含む録画再生方法。
【発明の詳細な説明】
【技術分野】
【０００１】
本発明の実施形態は、録画再生装置および録画再生方法に関する。
【背景技術】
【０００２】
近年、複数のチャンネルの番組を同時に長時間にわたり自動的に録画して大容量のハードディスクドライブ装置（ＨＤＤ）に保存しておくことができるタイムシフトマシン機能を備えた録画再生装置が登場してきている。このようなタイムシフトマシン機能を用いると、ユーザは、明示的に録画予約をしなくても、所望の番組コンテンツを過去番組表から選択して視聴することが可能となる。
【０００３】
また、従来から、ＤＬＮＡ（Ｄｉｇｉｔａｌ  Ｌｉｖｉｎｇ  Ｎｅｔｗｏｒｋ  Ａｌｌｉａｎｃｅ）機能を利用することで、ホームネットワーク内の他の録画再生装置で録画された番組コンテンツを再生して視聴することが可能となっている。
【先行技術文献】
【特許文献】
【０００４】
【特許文献１】特開２００８−２８９４７号公報
【発明の概要】
【発明が解決しようとする課題】
【０００５】
しかしながら、このようなタイムシフトマシン機能では、最大記録チャンネル数が例えば８チャンネル等のように制限されており、全ての放送局の番組については自動的に記録することは困難である。また、タイムシフトマシン機能を利用したとしても、特定の時間を録画対象外に設定していた場合、当該時間帯の番組の録画が行われないため、ユーザが当該番組を視聴することができない。
【０００６】
また、ＤＬＮＡ機能により他の録画再生装置で録画された番組コンテンツを再生することは可能であるが、自装置で録画されていないコンテンツを、他の録画再生装置から検索することは煩雑となる。
【課題を解決するための手段】
【０００７】
実施形態の録画再生装置は、録画部と、生成部と、収集部と、判断部と、統合部と、表示部とを備える。録画部は、複数のチャンネルの番組を同時に録画して、録画した番組コンテンツを記憶部に保存する。生成部は、録画された番組コンテンツに関する番組情報の一覧である第１関連情報を生成する。収集部は、ネットワークに接続された一または複数の他の録画再生装置から、他の録画再生装置で録画された番組情報の一覧である第２関連情報を収集する。判断部は、第１関連情報において未登録の番組情報である第２番組情報が、第２関連情報に存在するか否かを判断する。統合部は、第２関連情報に第２番組情報が存在すると判断された場合に、第２関連情報の第２番組情報を、第１関連情報に統合する。表示部は、第２番組情報が統合された第１関連情報を、過去番組表として表示する。
【図面の簡単な説明】
【０００８】
【図１】図１は、実施形態１にかかる録画再生システムのネットワーク構成図である。
【図２】図２は、実施形態１にかかるデジタルテレビの主要な信号処理系の一例を示すブロック図である。
【図３】図３は、実施形態１にかかる制御部の録画再生機能に関する機能的構成の一例を示すブロック図である。
【図４】図４は、実施形態１のメタデータの一例を示す図である。
【図５】図５は、実施形態１の番組表表示処理の手順の一例を示すフローチャートである。
【図６】図６は、実施形態１のメタデータ収集処理の流れの一例を示すシーケンス図である。
【図７】図７は、実施形態１のメタデータのマージ処理の手順の一例を示すフローチャートである。
【図８】図８は、実施形態１の他の録画再生装置から収集したメタデータの一例を示す図である。
【図９】図９は、実施形態１の他のデジタルテレビから収集したメタデータの一例を示す図である。
【図１０】図１０は、実施形態１の番組情報に抜けがない過去番組表の表示例を示す図である。
【図１１】図１１は、実施形態２の番組表表示処理の手順の一例を示すフローチャートである。
【図１２】図１２は、実施形態２において「取得中」のメッセージを表示した状態の例を示す図である。
【図１３】図１３は、実施形態３にかかるデジタルテレビの制御部の録画再生機能に関する機能的構成を示すブロック図である。
【図１４】図１４は、実施形態３のざんまいプレイの表示処理の手順の一例を示すフローチャートである。
【図１５】図１５は、実施形態３のざんまいプレイ一例を示す図である。
【発明を実施するための形態】
【０００９】
（実施形態１）
本実施形態の録画再生システムは、図１に示すように、複数の録画再生装置１００ａ，１００ｃ・・・１００ｎと、複数のデジタルテレビ２００，１００ｂとが、Ｗｉ−Ｆｉ（登録商標）等の無線ネットワークで接続された構成となっている。ここで、デジタルテレビ２００，１００ｂは、録画再生機能を備えたテレビジョンであり、録画再生装置の一例である。
【００１０】
複数の録画再生装置１００ａ，１００ｃ・・・１００ｎと、複数のデジタルテレビ２００，１００ｂは、互いにＤＬＮＡ機能により、ネットワークを介して他の装置で録画された番組コンテンツを再生することが可能となっている。
【００１１】
本実施形態では、録画再生機能を備えたデジタルテレビ２００について説明する。なお、これ以降、録画再生装置１００ａ，ｃ・・・ｎ、デジタルテレビ１００ｂを総称して、他の録画再生装置１００と呼ぶ。
【００１２】
デジタルテレビ２００は、図２に示すように、ディスプレイユニット２１１と、スピーカ２１３と、ハードディスクドライブ装置（ＨＤＤ）２７０と、操作部２２０と、受光部２２１と、ＬＡＮ端子２２３と、ＨＤＭＩ（登録商標）端子２２８と、ＵＳＢ端子２２５と、ｉ．Ｌｉｎｋ（登録商標）端子２２７と、放送信号入力端子２０１、２０３と、出力端子２１２、２１４と、チューナ２０２ａ，２０４ａと、ＨＤＭＩ（登録商標）  Ｉ／Ｆ２２９と、通信Ｉ／Ｆ２２２と、ＵＳＢ  Ｉ／Ｆ２２４と、ｉ．Ｌｉｎｋ  Ｉ／Ｆ２２６と、ＰＳＫ復調器２０２ｂと、ＯＦＤＭ復調器２０４ｂと、ＴＳ復号器２０２ｃ，２０４ｃと、信号処理部２０６と、音声処理部２０８と、グラフィック処理部２０７と、ＯＳＤ信号生成部２０９と、映像処理部２１０と、制御部２０５とを主に備えている。
【００１３】
ＢＳ／ＣＳデジタル放送受信用のアンテナ３２１で受信した衛星デジタルテレビジョン放送信号は、入力端子２０１を介して衛星デジタル放送用のチューナ２０２ａに供給される。
【００１４】
チューナ２０２ａは、制御部２０５からの制御信号により所望のチャネルの放送信号を選局し、この選局された放送信号をＰｈａｓｅ  Ｓｈｉｆｔ  Ｋｅｙｉｎｇ（ＰＳＫ）復調器２０２ｂに出力する。
【００１５】
ＰＳＫ復調器２０２ｂは、制御部２０５からの制御信号により、チューナ２０２ａで選局された放送信号を復調し、所望の番組を含んだトランスポートストリーム（ＴＳ）を得て、ＴＳ復号器２０２ｃに出力する。
【００１６】
ＴＳ復号器２０２ｃは、制御部２０５からの制御信号によりトランスポートストリーム（ＴＳ）に多重化された信号のＴＳ復号処理を行い、所望の番組のデジタルの映像信号及び音声信号をデパケットすることにより得たＰａｃｋｅｔｉｚｅｄ  Ｅｌｅｍｅｎｔａｒｙ  Ｓｔｒｅａｍ（ＰＥＳ）を信号処理部２０６へ出力する。また、ＴＳ復号器２０２ｃは、デジタル放送により送られているセクション情報を信号処理部２０６へ出力する。
【００１７】
一方、地上波放送受信用のアンテナ３２２で受信した地上デジタルテレビジョン放送信号は、入力端子２０３を介して地上デジタル放送用のチューナ２０４ａに供給される。
【００１８】
チューナ２０４ａは、制御部２０５からの制御信号により所望のチャンネルの放送信号を選局し、この選局された放送信号をＯｒｔｈｏｇｏｎａｌ  Ｆｒｅｑｕｅｎｃｙ  Ｄｉｖｉｓｉｏｎ  Ｍｕｌｔｉｐｌｅｘｉｎｇ（ＯＦＤＭ）復調器２０４ｂに出力する。
【００１９】
ＯＦＤＭ復調器２０４ｂは、制御部２０５からの制御信号により、チューナ２０４ａで選局された放送信号を復調し、所望の番組を含んだトランスポートストリームを得て、ＴＳ復号器２０４ｃに出力する。
【００２０】
ＴＳ復号器２０４ｃは、制御部２０５からの制御信号によりトランスポートストリーム（ＴＳ）多重化された信号のＴＳ復号処理を行い、所望の番組のデジタルの映像信号及び音声信号をデパケットすることにより得たＰａｃｋｅｔｉｚｅｄ  Ｅｌｅｍｅｎｔａｒｙ  Ｓｔｒｅａｍ（ＰＥＳ）を信号処理部２０６へ出力する。また、ＴＳ復号器２０４ｃは、デジタル放送により送られているセクション情報を信号処理部２０６へ出力する。
【００２１】
ここで、上記信号処理部２０６は、テレビ視聴時には、ＴＳ復号器２０２ｃおよびＴＳ復号器２０４ｃからそれぞれ供給されたデジタルの映像信号及び音声信号に対して、選択的に所定のデジタル信号処理を施し、グラフィック処理部２０７及び音声処理部２０８に出力している。一方、番組録画時には、ＴＳ復号器２０２ｃおよびＴＳ復号器２０４ｃからそれぞれ供給されたデジタルの映像信号及び音声信号に対して、選択的に所定のデジタル信号処理を施した信号を、制御部２０５を介してＨＤＤ２７０に記録している。また、信号処理部２０６は、録画番組再生時には、制御部２０５を介してＨＤＤ２７０から読み出された録画番組のデータに、所定のデジタル信号処理を施し、グラフィック処理部２０７及び音声処理部２０８に出力している。
【００２２】
グラフィック処理部２０７は、信号処理部２０６から供給されるデジタルの映像信号と、Ｏｎ  Ｓｃｒｅｅｎ  Ｄｉｓｐｌａｙ（ＯＳＤ）信号生成部２０９で生成されるＯＳＤ信号と、データ放送による画像データと、制御部２０５により生成されたＥＰＧ、字幕信号とを合成して映像処理部２１０へ出力する機能を有する。グラフィック処理部２０７から出力されたデジタルの映像信号は、映像処理部２１０に供給される。
【００２３】
この映像処理部２１０は、入力されたデジタルの映像データを、ディスプレイユニット２１１で表示可能なアナログ映像信号に変換した後、ディスプレイユニット２１１に出力して映像表示させる。ディスプレイユニット２１１は、最大、４Ｋ２Ｋの映像データを表示可能となっている。また、出力端子２１２を介して外部のディスプレイユニット（図示せず）に、当該ディスプレイユニットで表示可能なフォーマットの映像信号を出力して映像表示させることもできる。
【００２４】
また、上記音声処理部２０８は、入力されたデジタルの音声信号を、スピーカ２１３で再生可能なアナログ音声信号に変換した後、スピーカ２１３に出力して音声を再生させる。また、出力端子２１４を介して外部の音声出力デバイス（図示せず）に、当該音声出力デバイスで再生可能なフォーマットの音声信号を出力して音声再生させることもできる。
【００２５】
ここで、デジタルテレビ２００は、上記した各種の受信動作を含むその全ての動作を制御部２０５によって統括的に制御されている。この制御部２０５は、Ｃｅｎｔｒａｌ  Ｐｒｏｃｅｓｓｉｎｇ  Ｕｎｉｔ（ＣＰＵ）等を内蔵しており、操作部２２０からの操作情報を受け、または、リモートコントローラ１０２から送出された操作情報を、受光部２２１を介して受信し、その操作内容（例えば、チャネル切換操作など）が反映されるように各部をそれぞれ制御している。
【００２６】
この場合、制御部２０５は、主として、そのＣＰＵが実行する制御プログラムを格納したＲｅａｄ  Ｏｎｌｙ  Ｍｅｍｏｒｙ（ＲＯＭ）２０５ａと、当該ＣＰＵに作業エリアを提供するＲａｎｄｏｍ  Ａｃｃｅｓｓ  Ｍｅｍｏｒｙ（ＲＡＭ）２０５ｂと、各種の設定情報、制御情報及び番組情報等が格納されるフラッシュメモリなどの不揮発性メモリ２０５ｃとを利用している。
【００２７】
また、上記制御部２０５は、通信Ｉ／Ｆ２２２を介してＬＡＮ端子２２３に接続されている。これにより、制御部２０５は、ＬＡＮ端子２２３に接続されたＬＡＮ対応の機器（例えば、外付けＨＤＤ）と、通信Ｉ／Ｆ２２２を介して情報伝送することができる。この場合、制御部２０５は、Ｄｙｎａｍｉｃ  Ｈｏｓｔ  Ｃｏｎｆｉｇｕｒａｔｉｏｎ  Ｐｒｏｔｏｃｏｌ（ＤＨＣＰ）サーバ機能を有し、ＬＡＮ端子２２３に接続されたＬＡＮ対応の機器にＩｎｔｅｒｎｅｔ  Ｐｒｏｔｏｃｏｌ（ＩＰ）アドレスを割り当てて制御している。
【００２８】
また、上記制御部２０５は、ＵＳＢ  Ｉ／Ｆ２２４を介してＵＳＢ端子２２５に接続されている。これにより、制御部２０５は、ＵＳＢ端子２２５に接続された各種機器と、ＵＳＢ  Ｉ／Ｆ２２４を介して情報伝送することができる。
【００２９】
さらに、上記制御部２０５は、ｉ．ＬＩＮＫ  Ｉ／Ｆ２２６を介してｉ．ＬＩＮＫ端子２２７に接続されている。これにより、制御部２０５は、ｉ．ＬＩＮＫ端子２２７に接続された各種機器と、ｉ．ＬＩＮＫ  Ｉ／Ｆ２２６を介して情報伝送することができる。
【００３０】
また、制御部２０５は、ＨＤＭＩ  Ｉ／Ｆ  ２２９を介してＨＤＭＩ端子２２８と接続される。これにより制御部２０５は、ＨＤＭＩ端子２２８に接続された各機器と、ＨＤＭＩ  Ｉ／Ｆ  ２２９を介して情報伝送を行うことができる。ＨＤＭＩ端子２２８に接続される機器としては、映像出力装置１００の他、例えば、ＡＶアンプ、ＰＣ、ブロードバンドルータ等が挙げられる。ＨＤＭＩ  Ｉ／Ｆ  ２２９は、映像出力装置１００から映像データを受信する。
【００３１】
制御部２０５は、受信した放送番組を番組コンテンツとして録画してＨＤＤ２７０に保存し、ＨＤＤ２７０に保存された番組をコンテンツを再生するという録画再生機能も有している。次に、制御部２０５の録画生成機能について説明する。
【００３２】
制御部２０５は、図３に示すように、収集部３０１と、判断部３０２と、統合部３０３と、録画部３０４と、生成部３０５と、再生部３０６と、入力制御部３０７とを主に備えている。
【００３３】
入力制御部３０７は、ユーザによるリモートコントローラ１０２や操作部２２０からの各種入力を受け付ける。
【００３４】
録画部３０４は、チューナ２０２ａ，２０４ａで受信した放送番組を番組コンテンツとして録画して、録画された番組コンテンツをＨＤＤ２７０に保存する。本実施形態の録画部３０４は、複数のチャンネルの番組を同時かつ定期的に録画して、録画された番組コンテンツをＨＤＤ２７０に保存しておく、いわゆるタイムシフトマシン機能を有している。ここで、タイムシフトマシン機能は特定機能の一例である。
【００３５】
生成部３０５は、ＨＤＤ２７０に録画された番組コンテンツに関するメタデータを生成し、生成されたメタデータをＨＤＤ２７０や不揮発性メモリ２０５ｃに保存する。ここで、メタデータは、録画された番組コンテンツの番組情報の一覧であり、ディスプレイユニット２１１に過去番組表として表示される。番組情報は、番組コンテンツに関する情報であり、番組コンテンツのチャンネルと、放送開始日時と、放送終了日時と、番組名とから構成される。
【００３６】
メタデータは、例えば図４に示すように、チャンネル、放送開始日時、放送終了日時、番組名からなる番組情報を複数登録した形態となっている。図４のメタデータ（第１関連情報）は、デジタルテレビ２００がタイムシフトマシン機能を利用して録画した番組コンテンツの一覧を示し、ＨＤＤ２７０または不揮発性メモリ２０５ｃに保持しているものとする。デジタルテレビ２００では、図４に示すメタデータからわかるように、録画対象外とした８／１５の符号４０１が示す１３：００〜１５：００の時間帯に番組情報が登録されておらず、当該時間帯にチャンネル０２１の番組コンテンツは録画されていない。
【００３７】
また、デジタルテレビ２００では、図４に示すメタデータからわかるように、チャンネル数の制限等から、８／１５のチャンネル０８１とチャンネル１２１の間のチャンネル（符号４０２の間に存在すべきチャンネル１００）の番組情報が登録されておらず、当該チャンネルの番組コンテンツが録画されていない。
【００３８】
収集部３０１は、通信Ｉ／Ｆ２２２を介して、他の録画再生装置１００のそれぞれから、他の録画再生装置１００で保有するメタデータ（第２関連情報）を収集する。具体的には、収集部３０１は、一定時間ごとに、他の録画再生装置１００にメタデータ要求を行って、他の録画再生装置１００からメタデータを収集する。また、収集部３０１は、メタデータ要求を行う前に、他の録画再生装置１００にタイムシフトマシン機能の有無を問い合わせ、応答のあった他の録画再生装置１００からメタデータを収集する。
【００３９】
判断部３０２は、自装置（デジタルテレビ２００）のメタデータにおける未録画（未登録）の番組情報の有無を判断する。そして、判断部３０２は、自装置のメタデータに未録画の番組情報が存在すると判断した場合に、収集部３０１が収集した他の録画再生装置１００のメタデータに、自装置のメタデータで未録画の番組情報（第２番組情報）が存在するか否かを判断する。判断部３０２は、このような判断処理を、収集部３０１が他の録画再生装置１００からメタデータを収集するタイミングである上記一定時間ごとに行う。
【００４０】
統合部３０３は、他の録画再生装置１００のメタデータに、自装置のメタデータにおいて未録画の番組情報が存在すると判断された場合に、他の録画再生装置１００のメタデータにおける自装置のメタデータで未録画の番組情報を、自装置のメタデータに統合（マージ）する。統合部３０３は、このような統合処理を、収集部３０１が他の録画再生装置１００からメタデータを収集するタイミングである上記一定時間ごとに行う。
【００４１】
再生部３０６は、過去番組表などでユーザから指定された番組情報の番組コンテンツを再生する。ここで、ユーザから指定された番組情報の番組コンテンツが他の録画再生装置１００のコンテンツである場合には、ＤＬＮＡ機能により、他の録画再生装置１００にアクセスして、番組コンテンツを取得して再生する。
【００４２】
上述したグラフィック処理部２０７および映像処理部２１０は、他の録画再生装置１００のメタデータにおける自装置のメタデータで未録画の番組情報が統合された自装置のメタデータを、過去番組表としてディスプレイユニット２１１に表示する。
【００４３】
次に、以上のように構成された本実施形態による番組表の表示処理について図５を用いて説明する。まず、収集部３０１は、メタデータの収集処理を行う（ステップＳ１１）。次に、統合部３０３は、収集したメタデータと自装置のメタデータとのマージ処理を行う（ステップＳ１２）。ここで、ステップＳ１１のメタデータ収集処理とＳ１２のメタデータマージ処理は、一定時間ごとに実行される。
【００４４】
そして、グラフィック処理部２０７および映像処理部２１０がマージされたメタデータを用いて、過去番組表を、ディスプレイユニット２１１に表示する（ステップＳ１３）。
【００４５】
次に、ステップＳ１１のメタデータの収集処理の詳細について図６を用いて説明する。まず、デジタルテレビ２００の収集部３０１は、ネットワーク上の他の録画再生装置１００のすべてに対して、タイムシフトマシン機能の有無の問い合わせメッセージを送信する（ステップＳ２１ａ，Ｓ２１ｂ，Ｓ２１ｃ）。ここで、ネットワーク上には、録画再生装置１００ａ、デジタルテレビ１００ｂ、録画再生装置１００ｃが存在するものとする。
【００４６】
そして、タイムシフトマシン機能を有する録画再生装置１００は、上記問い合わせメッセージに対して、タイムシフトマシン機能有りの応答を、デジタルテレビ２００に送信する（ステップＳ２２ａ，Ｓ２２ｂ）。ここで、図６の例では、録画再生装置１００ａとデジタルテレビ１００ｂとがタイムシフトマシン機能を有し、録画再生装置１００ｃがタイムシフトマシン機能を有していないものとする。このため、録画再生装置１００ａとデジタルテレビ１００ｂは、タイムシフトマシン機能有りの応答をデジタルテレビ２００に送信するが、録画再生装置１００ｃは応答をデジタルテレビ２００に送信していない。
【００４７】
次に、デジタルテレビ２００の収集部３０１は、タイムシフトマシン機能有りの応答を送信した他の録画再生装置１００（すなわち、録画再生装置１００ａ、デジタルテレビ１００ｂ）に対して、メタデータの要求を送信する（ステップＳ２３ａ，Ｓ２３ｂ）。
【００４８】
録画再生装置１００ａ、デジタルテレビ１００ｂのそれぞれは、メタデータの要求を受信すると、自身が保有するメタデータを、デジタルテレビ２００に送信する（ステップＳ２４ａ，２４ｂ）。これらのメタデータをデジタルテレビ２００の収集部３０１が受信することにより、メタデータの収集が完了する。デジタルテレビ２００は、収集した他の録画再生装置１００のメタデータを、ＨＤＤ２７０や不揮発性メモリ２０５ｃ等に一時的に保存しておく。
【００４９】
次に、ステップＳ１２におけるメタデータのマージ処理について図７を用いて説明する。まず、デジタルテレビ２００の統合部３０３は、任意の時間帯および任意のチャンネルを選択し、自装置のメタデータの選択された時間帯およびチャンネルで、未録画（未登録）の番組情報が存在するか否かを判断する（ステップＳ３１）。
【００５０】
そして、未録画の番組情報が存在する場合には（ステップＳ３１：Ｙｅｓ）、判断部３０２は、ステップＳ１１で収集した他の録画再生装置１００のメタデータから、自装置のメタデータで未録画の番組情報を検索する（ステップＳ３２）。そして、判断部３０２は、他の録画再生装置１００のメタデータに、自装置のメタデータで未録画の番組情報が存在するか否かを判断する（ステップＳ３３）。
【００５１】
そして、他の録画再生装置１００のメタデータに、自装置のメタデータで未録画の番組情報が存在する場合には（ステップＳ３３：Ｙｅｓ）、統合部３０３は、自装置のメタデータに他の録画再生装置１００のメタデータ中の、上記未録画の番組情報を登録する（ステップＳ３４）。
【００５２】
ステップＳ３３において、他の録画再生装置１００のメタデータに、自装置のメタデータで未録画の番組情報が存在しない場合には（ステップＳ３３：Ｎｏ）、ステップＳ３４の処理は行われない。また、ステップＳ３１において、自装置のメタデータに、未録画の番組情報が存在しない場合には（ステップＳ３１：Ｎｏ）、ステップＳ３２からＳ３４までの処理は行われない。
【００５３】
次に、統合部３０３は、自装置のメタデータで全時間帯の番組情報についてステップＳ３１からＳ３４までの処理の実行が終了したか否かを判断し（ステップＳ３５）、終了していない場合には（ステップＳ３５：Ｎｏ）、次の時間帯の番組情報についてステップＳ３１からＳ３４までの処理を実行する。
【００５４】
一方、ステップＳ３５において、自装置のメタデータで全時間帯の番組情報についてステップＳ３１からＳ３４までの処理の実行が終了したと判断された場合には（ステップＳ３５：Ｙｅｓ）、統合部３０３は、自装置のメタデータで全チャンネルの番組情報についてステップＳ３１からＳ３４までの処理の実行が終了したか否かを判断する（ステップＳ３６）。そして、終了していない場合には（ステップＳ３６：Ｎｏ）、次のチャンネルの番組情報についてステップＳ３１からＳ３４までの処理を実行する。
【００５５】
一方、ステップＳ３６において、自装置のメタデータで全チャンネルの番組情報についてステップＳ３１からＳ３５までの処理の実行が終了したと判断された場合には（ステップＳ３６：Ｙｅｓ）、メタデータマージ処理を終了する。
【００５６】
ここで、デジタルテレビ２００は、図４に示すメタデータを有するものとする。上述したように、図４に示すメタデータには、８／１５の１３：００〜１５：００の時間帯の番組情報は登録されていない（符号４０１参照）。また、図４に示すメタデータには８／１５のチャンネル１００の番組情報は登録されていない（符号４０２参照）。
【００５７】
図８は、他の録画再生装置１００ａから収集したメタデータの一例を示している。図９は、他の録画再生装置１００であるデジタルテレビ１００ｂから収集したメタデータの一例を示している。
【００５８】
録画再生装置１００ａから収集したメタデータでは、図８の符号８０１に示すように、８／１５の１３：００〜１５：００の時間帯の番組情報が登録されている。すなわち、録画再生装置１００ａには、デジタルテレビ２００で録画されておらず、メタデータに番組情報が登録されていない８／１５の１３：００〜１５：００の時間帯の番組コンテンツが録画されていることを意味する。
【００５９】
また、デジタルテレビ１００ｂから収集したメタデータでは、図９の符号８０２に示すように、８／１５のチャンネル１００の番組情報が登録されている。すなわち、他の録画再生装置１００であるデジタルテレビ１００ｂには、デジタルテレビ２００で録画されておらず、メタデータに番組情報が登録されていない８／１５のチャンネル１００の番組コンテンツが録画されていることを意味する。
【００６０】
このため、統合部３０３は、図４に示す自装置のメタデータの符号４０１の位置に、図８に示す録画再生装置１００ａから収集したメタデータの符号８０１の８／１５の１３：００〜１５：００の時間帯の番組情報を登録（コピー）する。また、統合部３０３は、図４に示す自装置のメタデータの符号４０２の位置に、図９に示すデジタルテレビ１００ｂから収集したメタデータの符号８０２の８／１５のチャンネル１００番組情報を登録（コピー）する。
【００６１】
これにより、自装置のメタデータには、図８，９のメタデータとマージ（統合）されて番組情報の漏れ（未録画部分）がないものとなる。上述したステップＳ１３において、グラフィック処理部２０７および映像処理部２１０が、マージされたメタデータを用いて、過去番組表をディスプレイユニット２１１に表示すると、図１０に示すように番組情報に抜けがない過去番組表が表示される。すなわち、図１０の符号１００１の位置に、デジタルテレビ２００で録画されていない８／１５の１３：００〜１５：００の時間帯の番組情報が表示され、符号１００２の位置に、デジタルテレビ２００で録画されていない８／１５のチャンネル１００の番組情報が表示される。
【００６２】
ここで、デジタルテレビ２００のディスプレイユニット２１１で表示された過去番組表には、自装置で録画した番組コンテンツの番組情報か、他の録画再生装置１００で録画した番組コンテンツの番組情報かを特に区別して表示していない。これは、そもそもタイムシフトマシン機能は、ユーザが特定の番組の録画予約を指示して録画するものではなく、自動的に複数のチャンネルを同時に録画しておく機能であるため、ユーザにとっては、過去番組表から再生を指示した番組が再生することができれば、自装置で録画した番組か他の録画再生装置１００で録画した番組かを特に区別する必要はないからである。
【００６３】
このため、過去番組表において、ユーザが符号１００１や符号１００２のようなデジタルテレビ２００で録画されていない番組情報の再生を指示した場合には、再生部３０６は、ＤＬＮＡ機能により、指定された番組コンテンツを録画した他の録画再生装置１００から番組コンテンツを取得して再生するようにしている。
【００６４】
このように本実施形態では、他の録画再生装置１００からメタデータを収集して、自装置のメタデータにおいて録画されていない番組の番組情報を、収集したメタデータから登録して、メタデータをマージしている。このため、本実施形態では、タイムシフトマシン機能で録画対象外の時間帯の番組コンテンツや、制限されて録画対象外となったチャンネルの番組コンテンツの一覧を、自装置か他の録画再生装置１００かと区別なく自装置で表示することができる。このため、本実施形態によれば、すべてのチャンネルおよび時間帯でもれなく番組コンテンツの一覧をみることができ、かつ所望の番組コンテンツの検索を容易にすることができる。
【００６５】
（実施形態２）
実施形態１では、収集部３０１が一定時間ごとに他の録画再生装置１００からメタデータを収集して、統合部３０３が収集したメタデータを自装置のメタデータに統合していたが、この実施形態２では、過去番組表の起動時、および過去番組表のページ切替え指示が行われたときに、メタデータを収集してメタデータを統合している。
【００６６】
また、この実施形態２では、メタデータ収集および統合中において、過去番組表の番組情報が登録されていない未録画部分に、番組情報を取得中の旨のメッセージを表示する。
【００６７】
本実施形態の録画再生システムのネットワーク構成、本実施形態のデジタルテレビ２００の主要な信号処理系の構成、および本実施形態のデジタルテレビ２００の制御部２０５の録画再生機能に関する機能的構成は、実施形態１と同様である。本実施形態では、収集部３０１は、過去番組表の表示時および過去番組表のページ切替時（ページごとの表示時）に、他の録画再生装置１００からメタデータを収集する。
【００６８】
入力制御部３０７は、ユーザから操作部２２０やリモートコントローラ１０２および受光部２２１を介して、過去番組表の起動やページ切替えの指示を受け付ける。
【００６９】
判断部３０２は、過去番組表の表示時および過去番組表のページ切替時（ページごとの表示時）に、自装置のメタデータで未録画の番組情報が、他の録画再生装置１００から収集したメタデータに存在するか否かを判断する。
【００７０】
統合部３０３は、過去番組表の表示時および過去番組表のページ切替時（ページごとの表示時）に、他の録画再生装置１００から収集したメタデータにおいて、自装置のメタデータで未録画の番組情報を、自装置のメタデータにマージ（統合）する。
【００７１】
グラフィック処理部２０７および映像処理部２１０は、ディスプレイユニット２１１に過去番組表を表示している場合において、他の録画再生装置１００からのメタデータの収集から、上記メタデータのマージまでの間、ディスプレイユニット２１１に表示された過去番組表の未録画部分に、番組情報を取得中の旨を表示する。
【００７２】
次に、以上のように構成された本実施形態のデジタルテレビ２００による番組表の表示処理について図１１を用いて説明する。
【００７３】
ユーザから過去番組表の起動指示があった場合には、グラフィック処理部２０７および映像処理部２１０は、自装置のメタデータから過去番組表をディスプレイユニット２１１に表示する（ステップＳ５１）。次に、グラフィック処理部２０７および映像処理部２１０は、過去番組表の未録画部分、すなわち、自装置で未録画の番組の位置に、「取得中」のメッセージを表示する（ステップＳ５２）。
【００７４】
図１２は、実施形態２において過去番組表の未録画部分に「取得中」のメッセージを表示した状態の例を示している。図１２に示すように、符号１２０１，１２０２の未録画部分に「取得中」のメッセージが表示されている。
【００７５】
図１１に戻り、次に、収集部３０１がメタデータの収集処理を行う（ステップＳ５３）。ここで、メタデータの収集処理は、実施形態１と同様に行われる。そして、判断部３０２、統合部３０３がメタデータのマージ処理を行う（ステップＳ５４）。ここで、メタデータのマージ処理は、実施形態１と同様に行われる。
【００７６】
そして、グラフィック処理部２０７および映像処理部２１０は、マージされたメタデータから過去番組表をディスプレイユニット２１１に再表示する（ステップＳ５５）。これにより、図１２の符号１２０１，１２０２の未録画部分に番組情報が埋め込まれて、図１０に示したような番組情報に抜けのない過去番組表がディスプレイユニット２１０に表示されることになる。
【００７７】
過去番組表の表示中において、入力制御部３０７がユーザにより次ページ、前ページ、あるいは指定ページへのページ切替えの指示を受け付けた場合（ステップＳ５６：Ｙｅｓ）、ステップＳ５１へ戻り、グラフィック処理部２０７および映像処理部２１０は、指定されたページの過去番組表をディスプレイユニット２１１に表示する。この際、ステップＳ５２からＳ５５までの処理が実行される。すなわち、ページ切替え時においても、過去番組表における自装置で未録画の番組の位置に、「取得中」のメッセージが表示され、当該ページ内でメタデータの収集、マージおよび過去番組表の再表示が行われる。
【００７８】
ステップＳ５６でページ切替えの指示がない場合（ステップＳ５６：Ｎｏ）、ユーザからの終了指示があったか否かを判断し（ステップＳ５７）、終了指示がない場合には（ステップＳ５７：Ｎｏ）、ステップＳ５６へ戻る。一方、ユーザからの終了指示があった場合には（ステップＳ５７：Ｙｅｓ）、処理を終了する。
【００７９】
このように本実施形態では、過去番組表の起動時、および過去番組表のページ切替え指示が行われたときに、メタデータを収集してメタデータを統合しているので、表示される過去番組表は、常に最新の状態となり、ユーザに便宜となる。
【００８０】
また、本実施形態では、メタデータ収集および統合中において、過去番組表の番組情報の未録画部分に、番組情報を取得中の旨のメッセージを表示しているので、過去番組表に、録画されていないために番組情報に抜けがあっても、このような表示は短時間で解消されることをユーザに把握させることができる。
【００８１】
（実施形態３）
この実施形態３では、ユーザが所望の表示条件で番組情報を検索する場合でも、自装置のメタデータだけではなく、他の録画再生装置１００から収集したメタデータからも、表示条件を満たす番組情報を検索可能としている。
【００８２】
本実施形態の録画再生システムのネットワーク構成、本実施形態のデジタルテレビ２００の主要な信号処理系の構成については実施形態１と同様である。
【００８３】
本実施形態の制御部１３１０は、図１３に示すように、収集部３０１と、判断部３０２と、統合部３０３と、録画部３０４と、生成部３０５と、再生部３０６と、入力制御部３０７、検索部１３０１とを主に備えている。ここで、収集部３０１、判断部３０２、統合部３０３、録画部３０４、生成部３０５、再生部３０６の機能については実施形態１と同様である。
【００８４】
入力制御部３０７は、ユーザによるリモートコントローラ１０２や操作部２２０からの所望の表示条件の入力を受け付ける。
【００８５】
検索部１３０１は、他の録画再生装置１００のメタデータと統合されたメタデータの中から、ユーザが指定した表示条件を満たす一または複数の番組コンテンツの番組情報を検索する。
【００８６】
本実施形態のグラフィック処理部２０７および映像処理部２１０は、検索された一または複数の番組情報を、ざんまいプレイとして、ディスプレイユニット２１１に表示する。ここで、ざんまいプレイとは、ユーザが指定した表示条件を満たす一または複数の番組コンテンツの番組情報（例えば、ユーザが好むジャンル等の表示条件で検索された一または複数の番組コンテンツの番組情報）を表示する機能であり、ざんまいプレイ用の番組情報一覧がディスプレイユニット２１１に表示される。 
【００８７】
次に、以上のように構成された本実施形態のデジタルテレビによるざんまいプレイの表示処理について図１４を用いて説明する。まず、収集部３０１がメタデータの収集処理を行う（ステップＳ７１）。ここで、メタデータの収集処理は、実施形態１と同様に行われる。そして、判断部３０２、統合部３０３がメタデータのマージ処理を行う（ステップ７２）。ここで、メタデータのマージ処理は、実施形態１と同様に行われる。そして、入力制御部３０７が、ユーザから所望の表示条件の入力待ちとなる（ステップＳ７３：Ｎｏ）。
【００８８】
入力制御部３０７が、ユーザから所望の表示条件の入力を受け付けたら（ステップＳ７３：Ｙｅｓ）、検索部１３０１は、他の録画再生装置１００のメタデータとマージされたメタデータの中から、ユーザが指定した表示条件を満たす一または複数の番組コンテンツの番組情報を検索する（ステップＳ７４）。
【００８９】
そして、グラフィック処理部２０７および映像処理部２１０は、検索された一または複数の番組情報を、ざんまいプレイとして、ディスプレイユニット２１１に表示する（ステップＳ７５）。図１５は、実施形態３のざんまいプレイの表示の一例を示している。図１４では、表示条件として「ゴルフ」が入力され、ゴルフに関する番組情報が検索されて、ざんまいプレイとして表示されている例を示している。
【００９０】
このざんまいプレイの番組情報には、自装置で録画された番組コンテンツの番組情報の他、他の録画再生装置１００で録画された番組コンテンツの番組情報も含まれる。このため、ざんまいプレイにおいて、ユーザがデジタルテレビ２００で録画されていない番組情報の再生を指示した場合には、再生部３０６は、ＤＬＮＡ機能により、指定された番組コンテンツを録画した他の録画再生装置１００から番組コンテンツを取得して再生することになる。
【００９１】
このように本実施形態では、ユーザが所望の表示条件を指定して番組情報のざんまいプレイを行う場合でも、自装置のメタデータだけではなく、他の録画再生装置１００からメタデータを収集して、自装置のメタデータと統合して、統合されたメタデータの中から表示条件に合致する番組情報を検索する。このため、本実施形態では、ネットワーク内の他の録画再生装置１００で録画された表示条件を満たす番組情報でも、自装置で録画された、表示条件を満たす番組情報と区別なく表示可能として、ネットワーク内でのすべてのおすすめの番組情報の一覧をみることができ、かつ、ざんまいプレイの番組コンテンツの検索を容易にすることができる。
【００９２】
上記実施形態では、録画再生機能を有するデジタルテレビ２００を例にあげて説明したが、録画再生機能を有している機器であれば、デジタルテレビ以外の機器にも適用することが可能である。
【００９３】
上記実施形態では、デジタルテレビ２００が他の録画再生装置１００に対してメタデータ要求を行って、メタデータを収集していたが、これに限定されるものではない。例えば、他の録画再生装置１００側から自発的にメタデータをデジタルテレビ２００に送信するように構成してもよい。
【００９４】
上記実施形態では、収集部３０１は、一定時間ごと、過去番組表の起動時、および過去番組表におけるページ切替え時に、メタデータを収集していたが、メタデータの収集タイミングはこれらに限定されるものではない。例えば、ユーザの明示的な指示により、メタデータを収集するように収集部３０１を構成してもよい。
【００９５】
さらに、ここに記述されたシステムの種々のモジュールは、ソフトウェア・アプリケーション、ハードウェアおよび／またはソフトウェア・モジュール、あるいはサーバのような1台以上のコンピュータ上のコンポーネントとしてインプリメントすることができる。種々のモジュールは、別々に説明されているが、それらは同じ根本的なロジックかコードのうちのいくつかあるいはすべてを共有してもよい。
【００９６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９７】
１００ａ，１００ｃ，１００ｎ  録画再生装置
１００ｂ，２００  デジタルテレビ
２０５  制御部
２１０  映像処理部
２１１  ディスプレイユニット
２７０  ＨＤＤ
３０１  収集部
３０２  判断部
３０３  統合部
３０４  録画部
３０５  生成部
３０６  再生部
３０７  入力制御部
１３０１  検索部
【図１】
2015050607.tif 000003
【図２】
2015050607.tif 000004
【図３】
2015050607.tif 000005
【図４】
2015050607.tif 000006
【図５】
2015050607.tif 000007
【図６】
2015050607.tif 000008
【図７】
2015050607.tif 000009
【図８】
2015050607.tif 000010
【図９】
2015050607.tif 000011
【図１０】
2015050607.tif 000012
【図１１】
2015050607.tif 000013
【図１２】
2015050607.tif 000014
【図１３】
2015050607.tif 000015
【図１４】
2015050607.tif 000016
【図１５】
2015050607.tif 000017